(57)【要約】【課題】面表示装置の端面からの塵の発生を抑止し、さらに、塵が発生したとしても、両面接着テープまたは接着剤の面表示装置に密着する部分以外の余剰部に吸着することにより、面表示装置の表示面側への塵の付着を回避した面表示装置ユニットを提供する。【解決手段】文字や映像を表示する面表示装置１０３と、前記面表示装置１０３を固定する固定板１０１と、前記面表示装置１０３と前記固定板１０１を挟持する前ケース１０４と後ケース１０６と、よりなる面表示装置ユニットであり、前記固定板１０１は前記面表示装置１０３より一回り大きいことを特徴とする。また、前記面表示装置１０３を両面接着テープ１０２で前記固定板１０１に固定し、かつ、前記両面接着テープ１０２は前記面表示装置１０３に密着する部分以外の余剰部１１２を有することを特徴とする。【選択図】図１
2007248571.tif 000002
【特許請求の範囲】
【請求項１】
文字や映像を表示する面表示装置と、
前記面表示装置を固定する固定板と、
前記面表示装置と前記固定板を挟持する前ケースと後ケースと、
よりなる面表示装置ユニットであり、
前記固定板は前記面表示装置より一回り大きいが、前記前ケースと前記後ケースで形成される空間には内包されることを特徴とする、
面表示装置ユニット。
【請求項２】
前記面表示装置を両面接着テープで前記固定板に固定し、かつ、前記両面接着テープは前記面表示装置に密着する部分以外の余剰部を有することを特徴とする、
請求項１に記載の面表示装置ユニット。
【請求項３】
前記面表示装置を接着剤で前記固定板に固定し、かつ、前記接着剤は前記面表示装置に密着する部分以外の余剰部を有することを特徴とする、
請求項１に記載の面表示装置ユニット。
【請求項４】
前記固定板は額縁型の形状をなし、
前記前ケースと前記後ケースは、前記面表示装置と前記固定板に加えて、前記面表示装置を背後から照明するバックライトをも挟持することを特徴とする、
請求項１から請求項３のいずれかに記載の面表示装置ユニット。
【発明の詳細な説明】
【技術分野】
【０００１】
本発明は、液晶パネルや有機ＥＬパネルなどの面表示装置を機器に取り付けるための面表示装置ユニットに関し、特に面表示装置ユニットの防塵対策に関する。
【背景技術】
【０００２】
面表示装置ユニットの防塵対策に関する先行文献として、特許文献１がある。特許文献１に記載の液晶表示装置では、図５に示すように、液晶表示素子と照明部材５０１を、液晶表示素子の表示領域の外側の周囲を囲い、一部に空気は通すが塵の進入は防ぐ開口部５０２を有する環状の両面接着部材５０３により接着することを特徴とする。
【０００３】
これにより、液晶表示素子と照明部材５０１と両面接着部材５０３に囲まれた空間に塵が入らないようにするとともに、前記空間に閉じ込められた空気の膨張または収縮により湾曲しない液晶表示装置を得る。
【０００４】
ここで、液晶表示装置は本発明の面表示装置ユニットに、液晶表示素子は本発明の面表示装置に、照明部材５０１は本発明のバックライトに、両面接着部材５０３は本発明の両面接着テープに、それぞれ対応する。
【特許文献１】特開２００３−１２１８１４号公報
【発明の開示】
【発明が解決しようとする課題】
【０００５】
しかしながら、特許文献１に記載の技術では、液晶表示素子と照明部材５０１と両面接着部材５０３に囲まれた空間に塵が入らないようにすることはできるが、液晶表示装置の組立時における液晶表示素子の表示面側への塵の付着という課題が残存する。
【０００６】
特に面表示装置の表示面と垂直をなす端面は、ガラスやプラスチックの親基板を面表示装置の大きさに合わせて切り出す際の切断面であり、十分な研磨処理がなされていないことが通例である。
【０００７】
このような端面が、組立時に前ケースまたは後ケースとの摺動により、塵を発生するという課題が存する。また、機器に組み込んだ後も、機器に加わる振動により、同様の課題が発生する可能性がある。
【０００８】
そこで、本発明は、面表示装置ユニットの組立時における面表示装置の端面からの塵の発生を抑止し、さらに、塵が発生したとしても、両面接着テープまたは接着剤の面表示装置に密着する部分以外の余剰部に吸着することにより、面表示装置の表示面側への塵の付着を回避し、いったん、両面接着テープまたは接着剤の面表示装置に密着する部分以外の余剰部に吸着した塵を再度飛散させることもない面表示装置ユニットを提供するものである。
【０００９】
なお、本発明において、両面接着部材５０３の一部に空気は通すが塵の進入は防ぐ開口部５０２を設けることは、必須要件ではない。
【課題を解決するための手段】
【００１０】
前記課題を解決するために、本発明の第１の面表示装置ユニットは、文字や映像を表示する面表示装置と、前記面表示装置を固定する固定板と、前記面表示装置と前記固定板を挟持する前ケースと後ケースと、よりなる面表示装置ユニットであり、前記固定板は前記面表示装置より一回り大きいことを特徴とする。
【００１１】
また、本発明の第２の面表示装置ユニットでは、前記面表示装置を両面接着テープで前記固定板に固定し、かつ、前記両面接着テープは前記面表示装置に密着する部分以外の余剰部を有することを特徴とする。
【００１２】
また、本発明の第３の面表示装置ユニットでは、前記面表示装置を接着剤で前記固定板に固定し、かつ、前記接着剤は前記面表示装置に密着する部分以外の余剰部を有することを特徴とする。
【００１３】
さらに、本発明の第４の面表示装置ユニットでは、前記固定板は額縁型の形状をなし、  前記前ケースと前記後ケースは、前記面表示装置と前記固定板に加えて、前記面表示装置を背後から照明するバックライトをも挟持することを特徴とする。
【発明の効果】
【００１４】
本発明の面表示装置ユニットは、面表示装置より一回り大きい固定板に面表示装置を固定することにより、面表示装置の端面と前ケースまたは後ケースとの摺動を避けて、面表示装置の端面からの塵の発生を抑止する。
【００１５】
さらに、塵が発生したとしても、両面接着テープまたは接着剤の面表示装置に密着する部分以外の余剰部に吸着することにより、面表示装置の表示面側への塵の付着を回避し、いったん、両面接着テープまたは接着剤の面表示装置に密着する部分以外の余剰部に吸着した塵を再度飛散させることもないという効果を奏する。
【００１６】
これにより、面表示装置ユニットの組立時における、作業環境の塵埃対策を緩和することができる効果も期待される。
【発明を実施するための最良の形態】
【００１７】
１．構成
１．１  組立時
以下、本発明の実施の形態を、図面を参照しながら説明する。図１は、本発明の面表示装置ユニットの分解断面斜視図である。また、図２は、本発明の面表示装置ユニットの分解斜視図である。すなわち、図２に示す本発明の面表示装置ユニットの分解斜視図を仮想面Ａで切断し、矢印Ｂで示す方向から観察したのが図１に示す本発明の面表示装置ユニットの分解断面斜視図である。
【００１８】
図１に示すように、本発明の面表示装置ユニットは、固定板１０１に両面接着テープ１０２で固定された液晶パネルや有機ＥＬパネルなどの面表示装置１０３を、前ケース１０４とバックライト１０５を組み込んだ後ケース１０６で、矢印Ｃおよび矢印Ｄで示す方向から挟持して構成される。
【００１９】
前ケース１０４には、面表示装置１０３の表示面を視認可能とするように開口部が設けられている。
【００２０】
面表示装置１０３は、これに電力と文字や映像を表示するための信号を供給するフレキシブルケーブル１０７が接続されている。本実施の形態では、バックライト１０５を組み込んで面表示装置１０３を背後から照明するために、固定板１０１は額縁型の形状をなす。
【００２１】
さらに、固定板１０１は、面表示装置１０３よりも一回り大きく、面表示装置１０３の端面１１１から外側にはみ出した部分を有することにより、面表示装置１０３の端面１１１と前ケース１０４との摺動を避けて、面表示装置１０３の端面１１１からの塵の発生を抑止する。
【００２２】
面表示装置１０３を固定板１０１に固定する両面接着テープ１０２は、余剰部１１２を有している。これにより、塵が発生したとしても、両面接着テープ１０２の面表示装置１０３に密着する部分以外の余剰部１１２に吸着することにより、面表示装置１０３の表示面側への塵の付着を回避するという効果を奏する。
【００２３】
バックライト１０５は、蛍光表示管などを組み込んだバックライト枠１０８と偏光板１０９を備え、これに電力とバックライト１０５の点灯と消灯および調光を制御するための信号を供給するケーブル１１０が接続されている。バックライト１０５とバックライト枠１０８と偏光板１０９は、後ケース１０６に組み込まれている。
１．２  完成時
図３は、本発明の面表示装置ユニットの完成断面斜視図である。すなわち、図１に示す本発明の面表示装置ユニットの分解断面斜視図において、固定板１０１に両面接着テープ１０２で固定された液晶パネルや有機ＥＬパネルなどの面表示装置１０３を、前ケース１０４とバックライト１０５を組み込んだ後ケース１０６で、矢印Ｃおよび矢印Ｄで示す方向から挟持して完成された状態を示す。
【００２４】
また、図４は、図３に示す本発明の面表示装置ユニットの完成断面斜視図において、円Ｅで囲まれた部分を拡大した本発明の面表示装置ユニットの拡大断面斜視図である。
【００２５】
図４に示すように、組立時に塵を吸着した両面接着テープ１０２の面表示装置１０３に密着する部分以外の余剰部１１２は、面表示装置１０３の端部と前ケース１０４とともに、密閉された空間を形成する。
【００２６】
これにより、いったん、両面接着テープ１０２の面表示装置１０３に密着する部分以外の余剰部１１２に吸着した塵を再度飛散させることもないという効果を奏する。
２．その他の構成
前記本発明の実施の形態では、面表示装置を両面接着テープで固定板に固定することとしたが、両面接着テープの替わりに接着剤を使用してもよい。接着剤を使用する場合も、両面接着テープを使用する場合と同様に、面表示装置に密着する部分以外の余剰部を設ける。
【００２７】
面表示装置として、液晶パネルや有機ＥＬパネルを例示したが、面状の表示装置であれば何でもよい。近年、折り曲げが可能であり曲面状に形成できる面表示装置が開発されているが、こういった面表示装置についても、前ケースと後ケースを曲面状に形成することにより、本発明を適用することが可能である。
【００２８】
バックライトは、蛍光表示管などの線光源からの光束を、導光板と拡散板を用いて面光源に変換する方式を例示したが、ＬＥＤアレイなどの他の面光源を使用する方式でもよい。
【００２９】
反射型または自発光型の面表示装置であればバックライトが不要になるので、固定板を額縁型の形状になす必要はない。したがって、面表示装置より一回り大きい固定板であれば、その形状は問わない。
【００３０】
完成時に、両面接着テープの面表示装置に密着する部分以外の余剰部は、面表示装置の端面と前ケースとともに、密閉された空間を形成することとしたが、完全に密閉されていなくても、吸着した塵を再度飛散させることのない構造であればよい。
【００３１】
前記本発明の実施の形態では、前ケースが後ケースの内側に嵌合する方式を例示したが、後ケースが前ケースの内側に勘合する方式でもよい。その場合は、固定板が面表示装置の端面から外側にはみ出した部分を有することにより、面表示装置の端面と後ケースとの摺動を避けて、面表示装置の端面からの塵の発生を抑止する。なお、前ケースと後ケースの組立方式は、ここに例示した方式に限定されるものではない。
【産業上の利用可能性】
【００３２】
本発明の面表示装置ユニットは、デジタルスチルカメラや平面テレビなど、携帯型や据置型を問わず、面表示装置を有するすべての機器に適用可能である。
【図面の簡単な説明】
【００３３】
【図１】本発明の面表示装置ユニットの分解断面斜視図
【図２】本発明の面表示装置ユニットの分解斜視図
【図３】本発明の面表示装置ユニットの完成断面斜視図
【図４】本発明の面表示装置ユニットの拡大断面斜視図
【図５】従来例を示す図
【符号の説明】
【００３４】
１０１    固定板
１０２    両面接着テープ
１０３    面表示装置
１０４    前ケース
１０５    バックライト
１０６    後ケース
１０７    フレキシブルケーブル
１０８    バックライト枠
１０９    偏光板
１１０    ケーブル
１１１    面表示装置の端面
１１２    両面接着テープの余剰部
【図１】
2007248571.tif 000003
【図２】
2007248571.tif 000004
【図３】
2007248571.tif 000005
【図４】
2007248571.tif 000006
【図５】
2007248571.tif 000007